(57)【要約】【課題】ユーザにより登録されたキーワードを含む番組名および番組情報を有する番組を選択したとき映像信号と音声信号をミュートさせることが可能な放送受信装置を提供する。【解決手段】選択された番組の番組名と番組情報が不揮発性メモリに登録されたキーワードを含むと判定されたとき、ミュート手段は、映像処理部から出力される映像信号と、音声処理部から出力される音声信号とをミュートする。このミュート処理により、ディスプレイ装置には映像が表示されず、スピーカからは音声が出力されない。前記選択された番組の番組名と番組情報が不揮発性メモリに登録されたキーワードを含まないと判定されたときには、通常通り、映像処理部は映像信号を出力し、音声処理部は音声信号を出力する。したがって、ディスプレイ装置には映像が表示され、スピーカからは音声が出力される。【選択図】図４
2009081683.tif 000002
【特許請求の範囲】
【請求項１】
選局指示されたアナログテレビジョン放送局からのアナログ放送信号を受信するアナログチューナと、選局指示された地上デジタルテレビジョン放送局からのデジタル放送信号を受信するデジタルチューナとを備え、アナログ放送番組の映像音声信号またはデジタル放送番組の映像音声信号を出力することが可能な放送受信装置において、
視聴制限を掛けたい番組に関する番組名や番組情報に含んでいると予想されるキーワードの入力操作に応答して該キーワードをメモリに登録させるキーワード登録手段と、
視聴制限を掛けた番組の視聴制限を解除するためのパスワードの入力操作に応答して該パスワードを前記メモリに登録させるパスワード登録手段と、
前記アナログチューナの選局動作または前記デジタルチューナの選局動作による番組が直接的にキーの操作または電子番組ガイドに対する操作により選択されたとき、選択された番組の番組名と番組情報が前記メモリに登録されたキーワードを含むか否かを判定するキーワード判定手段と、
前記選択された番組の番組名と番組情報が前記メモリに登録されたキーワードを含むと判定されたとき、映像処理系から出力される映像信号と音声処理系から出力される音声信号をミュートするミュート手段と、を備えたことを特徴とする放送受信装置。
【請求項２】
前記キーワードと前記パスワードを前記メモリに登録するために、キーワード／パスワード設定画面をディスプレイ装置に表示させる設定画面表示手段を備えたことを特徴とする請求項１に記載の放送受信装置。
【請求項３】
ユーザ操作によりパスワードが入力されたとき、この入力パスワードと前記メモリに登録されている登録パスワードとが一致するか否かを判定するパスワード判定手段と、
前記入力パスワードと前記登録パスワードとが一致すると判定されたとき、前記映像信号と前記音声信号のミュートを解除するミュート解除手段と、を備えたことを特徴とする請求項１に記載の放送受信装置。
【発明の詳細な説明】
【技術分野】
【０００１】
本発明は、選局指示されたアナログテレビジョン放送局からのアナログ放送信号を受信するアナログチューナと、選局指示された地上デジタルテレビジョン放送局からのデジタル放送信号を受信するデジタルチューナとを備え、アナログ放送番組の映像音声信号またはデジタル放送番組の映像音声信号を出力することが可能な放送受信装置に関し、特に、視聴制限を掛けた番組の映像音声のミュート機能に関する。
【背景技術】
【０００２】
この種の放送受信装置がテレビジョン受像機に備えられている場合、このテレビジョン受像機により所望の番組が視聴されるが、番組の中には、家族の中でも子供などに視聴させたくない番組がある。特に子供にとっては、殺人シーンや暴力シーンや猥褻シーンなど、教育上好ましくないシーンが含まれている番組は、子供には視聴させたくないのが普通である。したがって、放送受信装置では、子供などに視聴させたくない番組があった場合、その番組を視聴できなくする視聴制限機能を備える必要があり、特に、この視聴制限機能により、映像信号と音声信号の出力をミュートできれば好ましい。
【０００３】
そこで、特許文献１の従来技術では、ユーザにより設定されたジャンルと一致した番組の番組情報を非表示にしたり、ジャンル情報が一致した場合、その番組を選局できないようにしたりして、視聴制限機能を実現している。
【０００４】
特許文献２の従来技術では、ユーザが設定したキーワードと、番組名などが含まれる番組情報との文言が一致する場合、視聴制限および電子番組ガイドの表示制限を行うことにより、視聴制限機能を実現している。
【０００５】
特許文献３の従来技術では、電子番組情報中にユーザが設定したキーワードが含まれる場合、他の番組とは色を変えてＥＰＧ表示を行い、また、ユーザが選択した番組に、レイティング情報が含まれている場合は警告音を鳴らすようにして、視聴制限機能を実現している。
【０００６】
特許文献４の従来技術では、テレビ録画を行う際に、設定されたキーワードを基に視聴制限を行う視聴制限機能を実現している。
【０００７】
特許文献５の従来技術では、電子番組ガイドを表示する際、視聴制限対象者には視聴制限番組を表示しないようにして、視聴制限機能を実現している。
【特許文献１】特開２０００−１７４６４９号公報
【特許文献２】特開２００５−１３６５１９号公報
【特許文献３】特開２００３−２１９３００号公報
【特許文献４】特開２００６−２５４２５７号公報
【特許文献５】特許第３５３６９４８号公報
【発明の開示】
【発明が解決しようとする課題】
【０００８】
しかしながら、特許文献１の従来技術では、前述したように、ユーザにより設定されたジャンルと一致した番組の番組情報を非表示にしたりしているが、ユーザにとっては、どんなジャンルの番組を非表示にしているかを忘れた場合、ユーザは使い勝手の面で不便を生じる。なお、この従来技術は、デジタル放送を受信する受信機に適用されたものであり、アナログ放送を受信する受信機には適用されていない。また、この従来技術では、視聴制限機能として、映像信号と音声信号の出力をミュートする処理については開示されていない。
【０００９】
また、特許文献２の従来技術では、前述したように、ユーザが設定したキーワードと、番組名などが含まれる番組情報との文言が一致する場合、視聴制限および電子番組ガイドの表示制限を行っているが、視聴制限機能として、映像信号と音声信号の出力をミュートする処理については開示されていない。
【００１０】
また、特許文献３の従来技術では、前述したように、電子番組情報中にユーザが設定したキーワードが含まれる場合、他の番組とは色を変えてＥＰＧ表示を行い、また、ユーザが選択した番組に、レイティング情報が含まれている場合は警告音を鳴らすようにしているが、視聴制限機能として、映像信号と音声信号の出力をミュートする処理については開示されていない。なお、この従来技術は、デジタル放送を受信する受信装置に適用されたものであり、アナログ放送を受信する受信装置には適用されていない。
【００１１】
また、特許文献４の従来技術では、前述したように、テレビ録画を行う際に、設定されたキーワードを基に視聴制限を行うようにしているが、視聴制限機能として、映像信号と音声信号の出力をミュートする処理については開示されていない。
【００１２】
また、特許文献５の従来技術では、前述したように、電子番組ガイドを表示する際、視聴制限対象者には視聴制限番組を表示しないようにしているが、視聴制限機能として、映像信号と音声信号の出力をミュートする処理については開示されていない。
【００１３】
本発明は、上記のような課題を解決するためになされたもので、ユーザにより登録されたキーワードを含む番組名および番組情報を有する番組を選択したとき映像信号と音声信号をミュートさせることが可能な放送受信装置を提供することを目的とする。
【課題を解決するための手段】
【００１４】
上記目的を達成するために、請求項１の発明は、選局指示されたアナログテレビジョン放送局からのアナログ放送信号を受信するアナログチューナと、選局指示された地上デジタルテレビジョン放送局からのデジタル放送信号を受信するデジタルチューナとを備え、アナログ放送番組の映像音声信号またはデジタル放送番組の映像音声信号を出力することが可能な放送受信装置において、視聴制限を掛けたい番組に関する番組名や番組情報に含んでいると予想されるキーワードの入力操作に応答して該キーワードをメモリに登録させるキーワード登録手段と、視聴制限を掛けた番組の視聴制限を解除するためのパスワードの入力操作に応答して該パスワードを前記メモリに登録させるパスワード登録手段と、前記アナログチューナの選局動作または前記デジタルチューナの選局動作による番組が直接的にキーの操作または電子番組ガイドに対する操作により選択されたとき、選択された番組の番組名と番組情報が前記メモリに登録されたキーワードを含むか否かを判定するキーワード判定手段と、前記選択された番組の番組名と番組情報が前記メモリに登録されたキーワードを含むと判定されたとき、映像処理系から出力される映像信号と音声処理系から出力される音声信号をミュートするミュート手段と、を備えたことを特徴とする放送受信装置を提供する。
【００１５】
この構成において、アナログチューナの選局動作またはデジタルチューナの選局動作による番組が直接的にキーの操作、または電子番組ガイドに対する操作により選択されたとき、選択された番組の番組名と番組情報がメモリに登録されたキーワードを含むか否かが判定される。前記選択された番組の番組名と番組情報が前記メモリに登録されたキーワードを含むと判定されたとき、映像処理系から出力される映像信号と音声処理系から出力される音声信号がミュートされる。
【００１６】
この構成によれば、ユーザにより登録されたキーワードを含む番組名および番組情報を有する番組を選択したとき映像信号と音声信号をミュートさせることができるので、子供などに視聴させたくない有害な番組があった場合、その番組を視聴できなくすることができる。
【００１７】
請求項２の発明では、請求項１の発明において、キーワードとパスワードをメモリに登録するために、キーワード／パスワード設定画面をディスプレイ装置に表示させる設定画面表示手段を備えたので、キーワードとパスワードの登録が容易に行うことができる。
【００１８】
請求項３の発明では、請求項２の発明において、ユーザ操作によりパスワードが入力されたとき、この入力パスワードとメモリに登録されている登録パスワードとが一致するか否かを判定するパスワード判定手段と、前記入力パスワードと前記登録パスワードとが一致すると判定されたとき、映像信号と音声信号のミュートを解除するミュート解除手段とを備えたので、ユーザのパスワードを入力すれば、ミュートを解除することができる。
【発明の効果】
【００１９】
以上のように本発明によれば、ユーザにより登録されたキーワードを含む番組名および番組情報を有する番組を選択したとき映像信号と音声信号をミュートさせることができるので、子供などに視聴させたくない有害な番組があった場合、その番組を視聴できなくすることができる。
【発明を実施するための最良の形態】
【００２０】
以下、添付図面を参照しつつ、本発明の実施の形態について説明する。図１は本発明の一実施形態に係る放送受信装置を搭載したテレビジョン受像機の構成を示すブロック図である。ここでは、本発明の放送受信装置をテレビジョン受像機に搭載した構成について説明するが、これに限らず、本発明の放送受信装置をＤＶＤレコーダやＢＤレコーダあるいはハードディスクレコーダなどの情報記録再生機器に搭載しても良い。
【００２１】
図１において、テレビジョン受像機１は、放送受信装置Ａを搭載している。放送受信装置Ａは、ＢＳ（放送衛星）／ＣＳ（通信衛星）デジタル放送受信用のアンテナ２に接続された入力端子３と、この入力端子３に接続されたＢＳ／ＣＳチューナ４と、このＢＳ／ＣＳチューナ４に接続されたＰＳＫ（Phase Shift Keying；位相変調）復調器５と、このＰＳＫ復調器５に接続された信号処理部６と、地上デジタル放送受信用のアンテナ７に接続された入力端子８、この入力端子８に接続された地上デジタル放送受信用のチューナ（以下、デジタルチューナと言う）９と、このデジタルチューナ９および信号処理部６に接続したＯＦＤＭ（Orthogonal Frequency Division Multiplexing；直交周波数分割多重）復調器１０と、信号処理部６に接続されたグラフィック処理部１１と、信号処理部６に接続された音声処理部（音声処理系）１２と、グラフィック処理部１１に接続されたＯＳＤ（On Screen Display ）信号処理部１３とを備えている。テレビジョン受像機１には、グラフィック処理部１１に接続された映像処理部（映像処理系）１４を備えている。
【００２２】
また、放送受信装置Ａは、演算処理や制御を行うＣＰＵ１５、このＣＰＵ１５が実行する制御プログラムを記憶したＲＯＭ１６、ＣＰＵ１５の動作に必要なデータを一時的に格納するＲＡＭ１７、各種の設定情報および制御情報を記憶した不揮発性メモリ１８を有し、テレビジョン受像機１の全体を制御する制御部１９と、入力端子８に接続されたアナログ放送用のチューナ（以下、アナログチューナと言う）２０と、このアナログチューナ２０および信号処理部６に接続されたアナログ復調器２１と、制御部１９に接続されたタイマ部２２と、このタイマ部２２に電源供給を行うバックアップ電源２３とを備えている。
【００２３】
アンテナ２としては、通常、パラボラアンテナが用いられ、アンテナ７としては、地上波受信用の例えば、八木アンテナが用いられる。ＢＳ／ＣＳチューナ４は、衛星デジタル放送受信用であり、制御部１９の制御によって選局を行い、衛星デジタルテレビジョン放送信号を受信する。ＰＳＫ復調器５は、衛星デジタルテレビジョン放送信号をデジタルの映像信号と音声信号に復調する。
【００２４】
デジタルチューナ９は、地上デジタル放送受信用のチューナであり、制御部１９の制御によって選局を行い、地上デジタルテレビジョン放送信号を受信する。ＯＦＤＭ復調器１０は、地上デジタルテレビジョン放送信号をデジタルの映像信号と音声信号に復調する。
【００２５】
アナログチューナ２０は、従来からのアナログ放送受信用のチューナであり、制御部１９の制御によって選局を行い、アナログテレビジョン放送信号を受信する。アナログ復調器２１は、アナログテレビジョン放送信号をアナログによる映像信号と音声信号に復調する。
【００２６】
信号処理部６は、ＰＳＫ復調器５から供給されたデジタルの映像信号および音声信号と、ＯＦＤＭ復調器１０から供給されたデジタルの映像信号および音声信号とに対して、選択的に所定のデジタル信号処理を施し、グラフィック処理部１１および音声処理部１２へ出力する。また、信号処理部６は、アナログ復調器２１による復調信号をデジタル化し、それぞれの結果をグラフィック処理部１１および音声処理部１２へ出力する。
【００２７】
グラフィック処理部１１は、信号処理部６からのデジタルの映像信号に、ＯＳＤ信号生成部１３で生成されたＯＳＤ信号を重畳して出力する。また、グラフィック処理部１１は、信号処理部６からの映像信号とＯＳＤ信号生成部１３からのＯＳＤ信号を選択的に出力し、あるいは両方からの出力画面が半分づつを占めるように出力する。
【００２８】
テレビジョン受像機１の音声処理部１２は、信号処理部６からのデジタルによる音声信号を、テレビジョン受像機１のスピーカ２４が音声化可能なアナログ音声信号に変換すると共に、そのアナログ音声信号を増幅して出力する。テレビジョン受像機１の映像処理部１２は、グラフィック処理部１１からのデジタル映像信号を、テレビジョン受像機１のディスプレイ装置２５が表示可能なフォーマットのアナログ映像信号に変換してディスプレイ装置２５へ出力する。
【００２９】
制御部１９は、操作部２６からの操作信号を受け、またはリモコン（リモートコントローラ）２７からの赤外線の操作信号を受光部２８を介して受信し、その操作信号を反映した制御を行う。タイマ部２２は、例えば、水晶発振回路、分周回路などにより基準クロック信号を生成し、この基準クロック信号に基づいて時刻情報を生成するリアルタイムクロック機能、単独で動作をする自走機能、および外部から時刻情報を更新できる機能（アナログ放送信号またはデジタル放送信号に含まれる時刻情報に従ってタイマ部２２が計時している現在時刻の更新機能）を有している。このタイマ部２２は、電源オフ時には、バックアップ電源２３を電源にして動作し、テレビジョン受像機１が電源オフになっても時計動作を継続する。
【００３０】
制御部１９のＣＰＵ１５には、視聴制限を掛けたい番組に関する番組名や番組情報に含んでいると予想されるキーワードの入力操作に応答して該キーワードを不揮発性メモリ１８に登録させるキーワード登録手段と、視聴制限を掛けた番組の視聴制限を解除するためのパスワードの入力操作に応答して該パスワードを不揮発性メモリ１８に登録させるパスワード登録手段と、アナログチューナ２０の選局動作またはデジタルチューナ９の選局動作による番組が直接的にキーの操作または電子番組ガイドに対する操作により選択されたとき、選択された番組の番組名と番組情報が不揮発性メモリ１８に登録されたキーワードを含むか否かを判定するキーワード判定手段と、前記選択された番組の番組名と番組情報が不揮発性メモリ１８に登録されたキーワードを含むと判定されたとき、映像処理系としての映像処理部１４から出力される映像信号と音声処理系としての音声処理部１２から出力される音声信号をミュートするミュート手段と、ユーザ操作によりパスワードが入力されたとき、この入力パスワードと不揮発性メモリ１８に登録されている登録パスワードとが一致するか否かを判定するパスワード判定手段と、前記入力パスワードと前記登録パスワードとが一致すると判定されたとき、前記映像信号と前記音声信号のミュートを解除するミュート解除手段と、前記キーワードと前記パスワードを不揮発性メモリ１８に登録するために、キーワード／パスワード設定画面をディスプレイ装置２５に表示させる設定画面表示手段とが備えられている。
【００３１】
次に、テレビジョン受像機１の全体の動作について説明する。ユーザが、操作部２６またはリモコン２７の電源キーを押下すると、テレビジョン受像機１の電源がオンになる。テレビジョン受像機１の購入後の設置、電源コードを抜いたまま長時間放置した後などにおいて電源を投入したとき、リモコン２７などを用いてユーザが時刻情報を設定した場合、この時刻情報を制御部１９によりＲＡＭ１７に格納し、この時刻情報を読み出してタイマ部２３への時刻設定を実施する。以後、タイマ部２３は、自走して計時を続けるが、ＢＳ／ＣＳチューナ４、またはデジタルチューナ９により受信されたデジタル放送信号に含まれる時刻情報、またはアナログチューナ２０により受信されたアナログ放送信号に含まれる時刻情報を得ることにより、現在時刻が正しくなるように更新する。
【００３２】
ここで、ユーザがリモコン２７を操作して、ＢＳ／ＣＳデジタル放送、地上デジタル放送、またはアナログ放送の一つを選択すると、この選択に応じて、制御部１９は、チューナ４，９，２０の内の対応する一つを動作状態にする。例えば、ＢＳ／ＣＳデジタル放送が選択された場合は、アンテナ２で受信したデジタルテレビジョン放送信号は、ＢＳ／ＣＳチューナ４に入力される。ユーザが所望のチャンネルを選択すると、そのチャンネルの放送信号はＰＳＫ復調器５に入力される。ＰＳＫ復調器５は、デジタルの映像信号とデジタルの音声信号とデータ信号に復調した後、この復調信号を信号処理部６へ出力する。
【００３３】
また、アンテナ７で受信した地上デジタルおよびアナログのテレビジョン放送信号は、デジタルチューナ９およびアナログチューナ２０に入力される。デジタルチューナ９で選局された地上デジタル放送信号は、ＯＦＤＭ復調器１０によってデジタルの映像信号とデジタルの音声信号とデータ信号に復調された後、信号処理部６へ出力される。アナログチューナ２０で選局された地上アナログ放送信号は、アナログ復調器２１によってアナログの映像信号とアナログの音声信号とデータ信号に復調された後、信号処理部６へ出力される。
【００３４】
信号処理部６は、受信側からの復調信号に対し、放送系統ごとに映像信号と音声信号に所定のデジタル信号処理を施し、グラフィック処理部１１および音声処理部１２へ出力する。また、信号処理部６は、ＢＳデータ放送または地上波データ放送の情報から時刻情報を抽出し、制御部１９内のＲＡＭ１７に一旦格納する。制御部１９は、自走しているタイマ部２２の時刻情報を読み込み、この時刻情報がデータ放送から入力した時刻情報と比べてずれている場合は、データ放送より得られた時刻情報をＲＡＭ１７より取り出し、タイマ部２２に設定する。即ち、制御部１９は、タイマ部２２により計時されている時刻が正しい現在時刻になるように時刻を修正する。
【００３５】
テレビジョン受像機１の電源がオフされたり、電源コードが引き抜かれた場合、あるいは、降雨、降雪、月食などにより、デジタル放送の電波の受信状態が悪くなったりした場合、デジタル放送側からの時刻情報の入手ができなくなり、タイマ部２２の時刻更新は行われなくなる。電源オフになっても、バックアップ電源２３からタイマ部２２に電源供給が行われ、タイマ部２２は機能を維持する。これにより、時刻情報は更新され、電源オフ後に電源を立ち上げた際、制御部１９は、タイマ部２２より時刻情報を取り込み、ＯＳＤ信号生成部１３へ出力する。ＯＳＤ信号生成部１３は、時刻情報を文字情報に変換してグラフィック処理部１１へ出力する。グラフィック処理部１１は、文字情報を信号処理部６からの映像信号に重畳し、更に映像処理部１４によって色調整が行われる。このようにして得られた映像信号が、ディスプレイ装置２５に時刻情報として時計が表示される。
【００３６】
グラフィック処理部１１からのデジタル映像信号は、映像処理部１４によって、ディスプレイ装置２５で表示可能なフォーマットのアナログ映像信号に変換された後、ディスプレイ装置２５に入力される。また、音声処理部１２では、信号処理部６からのデジタルによる音声信号をアナログの音声信号に変換し、このアナログの音声信号によりスピーカ２４を駆動させ、スピーカ２４から音声を出力させる。
【００３７】
図２は本実施形態においてキーワード／パスワード設定画面の一例を示す図である。図２において、キーワード／パスワード設定画面３０には、例えば、家族の中で、主となるユーザが子供などに視聴させたくない番組に対して視聴制限を掛けるためのキーワードを入力するための領域３１と、視聴制限の解除用パスワードを入力するための領域３２とが設けられている。そのキーワードとしては、主となるユーザが視聴制限を掛けたい番組に関する番組名や番組情報に含んでいると予想される文言が使用される。その番組情報としては、殺人や暴力や猥褻など、教育上好ましくないシーンに用いられる文言が含まれる。
【００３８】
領域３１には、「キーワードを入力して下さい。」と言うメッセージが表示されており、ユーザが選んだキーワードａ，ｂ，ｃ，ｄ，ｅ，ｆが表示されている。また、領域３２には、「解除用パスワードを入力して下さい。」と言うメッセージが表示されており、ユーザが設定した解除用パスワードｇが表示されている。ＯＫボタン３３がオンされると、キーワードａ，ｂ，ｃ，ｄ，ｅ，ｆが不揮発性メモリ１８に登録される。ＯＫボタン３４がオンされると、解除用キーワードｇが不揮発性メモリ１８に登録される。
【００３９】
図３は本実施形態においてキーワードとパスワードを登録する処理を説明するためのフローチャートである。このフローチャートおよび図１〜図２を参照してキーワードとパスワードを登録する処理について説明する。
【００４０】
先ず、ユーザは、ディスプレイ装置２５にメニュー画面を表示させるため、リモコン２７のメニュー画面表示用のキーを押下すると、制御部１９のＣＰＵ１５は、メニュー画面表示指示がされたことを検知すると（ステップＳ１）、不揮発性メモリ１８に予め記憶されたメニュー画面データを読み出してＯＳＤ信号生成部１３に供給し、ＯＳＤ処理されたメニュー画面信号をグラフィック処理部１１を介して映像処理部１４に供給し、更に、映像処理部１４でアナログのメニュー画面信号に変換してディスプレイ装置２５に供給することにより、ディスプレイ装置２５にメニュー画面を表示させる（ステップＳ２）。
【００４１】
そして、ユーザは、メニュー画面を見ながらリモコン２７を操作して、キーワード／パスワード設定画面を表示させる項目を選択して決定すると、ＣＰＵ１５は、キーワード／パスワード設定画面表示指示がされたことを検知し（ステップＳ３）、不揮発性メモリ１８に予め記憶されたキーワード／パスワード設定画面データを読み出してＯＳＤ信号生成部１３に供給し、ＯＳＤ処理されたキーワード／パスワード設定画面信号をグラフィック処理部１１を介して映像処理部１４に供給し、更に、映像処理部１４でアナログのキーワード／パスワード設定画面信号に変換してディスプレイ装置２５に供給することにより、ディスプレイ装置２５にキーワード／パスワード設定画面３０（図２参照）を表示させる（ステップＳ４）。
【００４２】
ここで、ユーザは、キーワード／パスワード設定画面３０を見ながら、リモコン２７を操作して、視聴制限を掛けたい番組に関する番組名や番組情報に含んでいると予想されるキーワードを入力して、ＯＫボタン３３をオンすると、ＣＰＵ１５のキーワード登録手段は、キーワードａ，ｂ，ｃ，ｄ，ｅ，ｆが入力されたことを検知し（ステップＳ５）、これに応答してキーワードａ，ｂ，ｃ，ｄ，ｅ，ｆを不揮発性メモリ１８に登録する（ステップＳ６）。これにより、ＣＰＵ１５は、キーワードａ，ｂ，ｃ，ｄ，ｅ，ｆの登録が完了したことを検知する（ステップＳ７）。
【００４３】
この後、ユーザは、キーワード／パスワード設定画面３０を見ながら、リモコン２７を操作して、視聴制限解除用のパスワードｇを入力して、ＯＫボタン３４をオンすると、ＣＰＵ１５のパスワード登録手段は、パスワードｇが入力されたことを検知し（ステップＳ８）、これに応答してパスワードｇを不揮発性メモリ１８に登録する（ステップＳ９）。これにより、ＣＰＵ１５は、パスワードｇの登録が完了したことを検知し（ステップＳ１０）、本処理は終了する。
【００４４】
図４は本実施形態において映像音声ミュート処理およびミュート解除処理を説明するためのフローチャートである。このフローチャートおよび図１〜図２を参照して映像音声ミュート処理およびミュート解除処理について説明する。
【００４５】
視聴したい番組が放送されるテレビジョン放送局がアナログテレビジョン放送局である場合、リモコン２７を操作して、テレビジョン受像機１の放送受信装置Ａをアナログ受信モードに設定すると、制御部１９のＣＰＵ１５は、受信モードがアナログ受信モードであると判定し（ステップＮ１）、視聴したい番組が放送されるチャンネルに設定されるようにアナログチューナ２０を選局動作させる。これにより、ＣＰＵ１５は、視聴したい番組が選択されたことを検知する（ステップＮ３）。
【００４６】
一方、視聴したい番組が放送されるテレビジョン放送局がデジタルテレビジョン放送局である場合、リモコン２７を操作して、テレビジョン受像機１の放送受信装置Ａをデジタル受信モードに設定すると、制御部１９のＣＰＵ１５は、受信モードがデジタル受信モードであると判定し（ステップＮ２）、視聴したい番組が放送されるチャンネルに設定されるようにデジタルチューナ９を選局動作させる。これにより、ＣＰＵ１５は、視聴したい番組が選択されたことを検知する（ステップＮ３）。なお、視聴したい番組の選択は、リモコン２７の数字キー（チャンネルキー）を直接操作して選択しても良いし、電子番組ガイドに対するリモコン２７の操作により選択しても良い。
【００４７】
次に、ＣＰＵ１５のキーワード判定手段は、前記選択された番組の番組名と番組情報が不揮発性メモリ１８に登録されたキーワードを含むか否かを判定する（ステップＮ４）。前記選択された番組の番組名と番組情報が不揮発性メモリ１８に登録されたキーワードを含むと判定されたとき、ＣＰＵ１５のミュート手段は、映像処理部１４から出力される映像信号と、音声処理部１２から出力される音声信号とをミュートする（ステップＮ５）。この場合、ミュート手段は、映像処理部１４から映像信号が出力されないように、映像処理部１４を制御すると共に、音声処理部１２から音声信号が出力されないように、音声処理部１２を制御する。このミュート処理により、ディスプレイ装置２５には映像が表示されず、スピーカ２４からは音声が出力されない。
【００４８】
前記選択された番組の番組名と番組情報が不揮発性メモリ１８に登録されたキーワードを含まないと判定されたときには、通常通り、映像処理部１４は映像信号を出力し、音声処理部１２は音声信号を出力する（ステップＮ６）。したがって、ディスプレイ装置２５には映像が表示され、スピーカ２４からは音声が出力される。
【００４９】
映像信号と音声信号がミュートされている状態にとき、ユーザがリモコン２７を操作してパスワードをテレビジョン受像機１に送信すると、ＣＰＵ１５のパスワード判定手段は、パスワードが入力されたことを検知し（ステップＮ７）、その入力パスワードと不揮発性メモリ１８に登録されている登録パスワードとが一致するか否かを判定する（ステップＮ８）。
【００５０】
前記入力パスワードと前記登録パスワードとが一致すると判定されたとき、ＣＰＵ１５のミュート解除手段は、映像処理部１４から映像信号が出力されるように、映像処理部１４を制御すると共に、音声処理部１２から音声信号が出力されるように、音声処理部１２を制御して、ミュートを解除する（ステップＮ９）。これにより、映像処理部１４は映像信号を出力し、音声処理部１２は音声信号を出力する（ステップＮ１０）。したがって、ディスプレイ装置２５には映像が表示され、スピーカ２４からは音声が出力される。
【００５１】
以上説明したように本実施形態によれば、ユーザにより登録されたキーワードを含む番組名および番組情報を有する番組を選択したとき映像信号と音声信号をミュートさせることができるので、子供などに視聴させたくない有害な番組があった場合、その番組を視聴できなくすることができる。なお、ＢＳ／ＣＳチューナ４により受信した番組についても、同様なミュート処理により視聴制限を行うことができる。
【産業上の利用可能性】
【００５２】
本発明は、選局指示されたアナログテレビジョン放送局からのアナログ放送信号を受信するアナログチューナと、選局指示された地上デジタルテレビジョン放送局からのデジタル放送信号を受信するデジタルチューナとを備え、アナログ放送番組の映像音声信号またはデジタル放送番組の映像音声信号を出力することが可能な放送受信装置に利用可能であり、映像信号と音声信号をミュートすることにより視聴制限を掛けることができる。
【図面の簡単な説明】
【００５３】
【図１】本発明の一実施形態に係る放送受信装置を搭載したテレビジョン受像機の構成を示すブロック図である。
【図２】前記実施形態においてキーワード／パスワード設定画面の一例を示す図である。
【図３】前記実施形態においてキーワードとパスワードを登録する処理を説明するためのフローチャートである。
【図４】前記実施形態において映像音声ミュート処理およびミュート解除処理を説明するためのフローチャートである。
【符号の説明】
【００５４】
Ａ    放送受信装置
９    デジタルチューナ
１２    音声処理部（音声処理系）
１４    映像処理部（映像処理系）
１５    ＣＰＵ（キーワード登録手段、パスワード登録手段、キーワード判定手段、ミュート手段、パスワード判定手段、ミュート解除手段、設定画面表示手段）
１８    不揮発性メモリ（メモリ）
３０    キーワード／パスワード設定画面
【図１】
2009081683.tif 000003
【図２】
2009081683.tif 000004
【図３】
2009081683.tif 000005
【図４】
2009081683.tif 000006